(57)【要約】【課題】ユーザーがフリップ型電子機器のフリップを開く操作をするだけで、その操作状態に応じたプログラムを起動することを可能にして、フリップ型電子機器に格納された複数のプログラムを起動す際の煩雑なキー操作を解消すること。【解決手段】開閉状態検出部１１はフリップの開状態を順次検出し、その各開状態検出信号を速度検出部１２に出力する。速度検出部１２は、開閉状態検出部１１から順次入力される各開状態検出信号に含まれる回転角度の変位割合に基づいてフリップの開速度を検出し、開速度検出信号をプログラム起動部１４に出力する。プログラム起動部１４は、速度検出部１２から入力される開速度検出信号に基づいて、記憶部１３に記憶された複数のプログラム１，２，３のうち、その開速度に応じたプログラムを起動する。【選択図】      図２
2004235865.tif 000002
【特許請求の範囲】
【請求項１】
第１の筐体と第２の筐体の各一端部をヒンジで連結して折り畳み可能としたフリップ型電子機器に格納された複数のプログラムを起動するプログラム起動装置において、
前記フリップが閉状態から開状態になることを検出する開閉状態検出手段と、
前記開閉状態検出手段によって検出される前記フリップが閉状態から開状態へ移行する際に、開状態へ移行する速度を検出する速度検出手段と、
前記速度検出手段によって検出される速度に基づいて、前記格納された複数のプログラムから一つのプログラムを選択して起動するプログラム起動手段と、
を具備することを特徴とするプログラム起動装置。
【請求項２】
第１の筐体と第２の筐体の各一端部をヒンジで連結して折り畳み可能としたフリップ型電子機器に格納された複数のプログラムを起動するプログラム起動装置において、
前記フリップの閉状態において前記第１の筐体又は前記第２の筐体の操作可能な位置に設けられた操作手段と、
前記操作手段の操作を検出する操作検出手段と、
前記操作検出手段によって操作が検出されると計時を開始する計時手段と、
前記フリップが閉状態から開状態になることを検出する開閉状態検出手段と、
前記操作検出手段により操作が検出された後、前記計時手段により一定時間が計時される間に、前記開閉状態検出手段により前記フリップの開状態が検出された場合、前記格納された複数のプログラムから一つのプログラムを選択して起動する前記プログラム起動手段と、
を具備することを特徴とするプログラム起動装置。
【請求項３】
第１の筐体と第２の筐体の各一端部をヒンジで連結して折り畳み可能としたフリップ型電子機器に格納された複数のプログラムを起動するプログラム起動装置において、
前記フリップが閉状態から開状態になることを検出する開閉状態検出手段と、
前記フリップの開状態の角度を検出する角度検出手段と、
前記フリップが閉状態から前記第１の筐体及び前記第２の筐体の連結されていない他端部が互いに非接触になることを検出する非接触検出手段と、
前記非接触検出手段によって非接触が検出されると計時を開始する計時手段と、
前記非接触検出手段によって非接触が検出され、前記計時手段によって一定時間が計時された後に前記角度検出手段によって検出される前記第１の筐体と前記第２の筐体のなす角度に応じて前記格納された複数のプログラムから一つのプログラムを選択して起動するプログラム起動手段と、
を具備することを特徴とするプログラム起動装置。
【請求項４】
前記電子機器に格納された複数のプログラム毎に、前記フリップの開閉状態に基づく起動条件を設定する起動条件設定手段と、
前記起動条件設定手段に設定された各プログラムの起動条件を変更指示するプログラム変更手段と、をさらに具備し、
前記プログラム起動手段は、前記プログラム変更手段から入力される各プログラムの起動条件の変更指示に基づいて、前記起動条件設定手段に設定された各プログラムの起動条件を変更することを特徴とする請求項１から３のいずれかに記載のプログラム起動装置。
【請求項５】
前記プログラム起動手段は、前記フリップの閉状態から開状態に移行する際に、前記速度検出手段によって検出される開状態へ移行する速度と、前記操作検出手段によって検出される操作と、前記角度検出手段によって検出される開状態の角度との組み合わせに基づいて、前記電子機器に格納された複数のプログラムから一つのプログラムを選択して起動することを特徴とする請求項１から３のいずれかに記載のプログラム起動装置。
【請求項６】
前記請求項１から５のいずれかに記載のプログラム起動装置を備えたフリップ型携帯電話装置。
【発明の詳細な説明】
【０００１】
【発明の属する技術分野】
本発明は、電子機器のプログラムを起動するプログラム起動装置およびフリップ型携帯電話装置に関する。
【０００２】
【従来の技術】
従来、電子機器に格納されたプログラムを起動するためのプログラム起動装置が提案されている（例えば、特許文献１参照）。
【０００３】
このプログラム起動装置では、上筐体と下筐体をヒンジ部により連結し折り畳み可能としたフリップ型電子機器において、フリップを開状態とした後、特定のキー操作を行うことによってユーザーの意図するプログラムを起動する機能を備えている。
【０００４】
【特許文献１】
特開平１１−２１２８９３号公報（第１項、第２項、第２図、第４図）
【０００５】
【発明が解決しようとする課題】
しかしながら、従来のフリップ型電子機器のプログラム起動装置においては、プログラムを起動するためには、ユーザーがフリップを開状態とした後にキー操作を行う必要があるため、使用頻度の高いプログラムを起動するにも、毎回フリップを開状態とした後、キー操作を行わなければならず、操作が煩雑であるという問題がある。
【０００６】
また、この操作の煩雑さを解消するために、フリップが開状態となったことを検出し、予め設定されたプログラムを起動する方法がある。
【０００７】
しかしながら、この方法においては、起動可能なプログラムは予め設定された１種類のプログラムのみであるため、ユーザーが設定されたプログラム以外のプログラムを起動しようとする場合には、フリップを開状態とし、その後、キー操作を行う必要があり、やはり、操作が煩雑であるという問題がある。
【０００８】
本発明はかかる点に鑑みてなされたものであり、ユーザーがフリップ型電子機器のフリップを開く操作をするだけで、その操作状態に応じたプログラムを起動することを可能にして、フリップ型電子機器に格納された複数のプログラムを起動す際の煩雑なキー操作を解消することができるプログラム起動装置及びフリップ型携帯電話装置を提供することを目的とする。
【０００９】
【課題を解決するための手段】
本発明のプログラム起動装置は、第１の筐体と第２の筐体の各一端部をヒンジで連結して折り畳み可能としたフリップ型電子機器に格納された複数のプログラムを起動するプログラム起動装置において、前記フリップが閉状態から開状態になることを検出する開閉状態検出手段と、前記開閉状態検出手段によって検出される前記フリップが閉状態から開状態へ移行する際に、開状態へ移行する速度を検出する速度検出手段と、前記速度検出手段によって検出される速度に基づいて、前記格納された複数のプログラムから一つのプログラムを選択して起動するプログラム起動手段と、を具備する構成を採る。
【００１０】
この構成によれば、ユーザーがフリップ型電子機器のフリップを開く操作をするだけで、その操作速度に応じたプログラムを起動することを可能にして、フリップ型電子機器に格納された複数のプログラムを起動す際の煩雑なキー操作を解消することができる。
【００１１】
本発明のプログラム起動装置は、第１の筐体と第２の筐体の各一端部をヒンジで連結して折り畳み可能としたフリップ型電子機器に格納された複数のプログラムを起動するプログラム起動装置において、前記フリップの閉状態において前記第１の筐体又は前記第２の筐体の操作可能な位置に設けた操作手段と、前記操作手段の操作を検出する操作検出手段と、前記操作検出手段によって操作が検出されると計時を開始する計時手段と、前記フリップが閉状態から開状態になることを検出する開閉状態検出手段と、前記操作検出手段により操作が検出された後、前記計時手段により一定時間が計時される間に、前記開閉状態検出手段により前記フリップの開状態が検出された場合、前記格納された複数のプログラムから一つのプログラムを選択して起動する前記プログラム起動手段と、を具備する構成を採る。
【００１２】
この構成によれば、ユーザーがフリップ型電子機器のフリップが閉状態で操作可能な操作キーの操作とフリップを開く操作をするだけで、その操作内容に応じたプログラムを起動することを可能にして、フリップ型電子機器に格納された複数のプログラムを起動す際の煩雑なキー操作を解消することができる。
【００１３】
本発明のプログラム起動装置は、第１の筐体と第２の筐体の各一端部をヒンジで連結して折り畳み可能としたフリップ型電子機器に格納された複数のプログラムを起動するプログラム起動装置において、前記フリップが閉状態から開状態になることを検出する開閉状態検出手段と、前記フリップの開状態の角度を検出する角度検出手段と、前記フリップが閉状態から前記第１の筐体及び前記第２の筐体の連結されていない他端部が互いに非接触になることを検出する非接触検出手段と、前記非接触検出手段によって非接触が検出されると計時を開始する計時手段と、前記非接触検出手段によって非接触が検出され、前記計時手段によって一定時間が計時された後に前記角度検出手段によって検出される前記第１の筐体と前記第２の筐体のなす角度に応じて前記格納された複数のプログラムから一つのプログラムを選択して起動するプログラム起動手段と、を具備する構成を採る。
【００１４】
この構成によれば、ユーザーがフリップ型電子機器のフリップを開く操作をするだけで、そのフリップの開き角度に応じたプログラムを起動することを可能にして、フリップ型電子機器に格納された複数のプログラムを起動す際の煩雑なキー操作を解消することができる。
【００１５】
【発明の実施の形態】
本発明の骨子は、フリップ型電子機器において、ユーザーによりフリップが閉状態か開状態に操作される際の開閉速度、開閉角度、操作時間に応じて、電子機器内に格納された複数のプログラムからユーザーが所望するプログラムを選択して起動できるようにすることである。
【００１６】
以下、本発明の実施の形態１について、図面を参照して詳細に説明する。
【００１７】
（実施の形態１）
図１は、本発明の実施の形態１に係る携帯電話装置１の外観斜視図である。
携帯電話装置１は、上筐体（第１の筐体）２、下筐体（第２の筐体）３、これら上筐体２と下筐体３の各一端部を連結したヒンジ部４を備えており、このヒンジ部４により、同図（ａ）、（ｂ）に示すように上筐体２と下筐体３が開閉可能なフリップ型である。
【００１８】
上筐体２の開閉面２ａには、例えば、液晶表示部が設けられ、下筐体３の開閉面３ａには、例えば、テンキーや各種ファンクションキー等が配置された操作部が設けられるが、図１では図示を省略する。従って、ユーザーが携帯電話装置１を使用する場合は、同図（ｂ）のようにフリップを開状態にして、上筐体２の液晶表示部に表示される表示内容を確認しながら、下筐体３の操作部を操作する。
【００１９】
また、下筐体３の側面３ｂには、フリップが閉状態でも操作可能なキー操作部５が設けられている。このキー操作部５は、後述する実施の形態２において利用するものであるため、その機能説明は省略する。
【００２０】
なお、図１の携帯電話装置１の外観構成は、後述する実施の形態２〜４においても共通のものとして使用する。
【００２１】
図２は、図１の携帯電話装置１の上筐体２及び下筐体３に内蔵された制御系の構成要素を示すブロック図であり、開閉状態検出部１１、速度検出部１２、記憶部１３及びプログラム起動部１４とから主に構成される。
【００２２】
開閉状態検出部１１は、ユーザーにより携帯電話装置１のフリップが閉状態から開状態に操作される際に、ヒンジ部４の回転角度の変異を一定間隔で検出し、その検出間隔でフリップの開状態を示す開状態検出信号を速度検出部１２に出力する。
【００２３】
速度検出部１２は、開閉状態検出部１１から順次入力される各開状態検出信号に含まれる回転角度の変位割合に基づいて、フリップが開状態になる速度を検出し、開速度検出信号をプログラム起動部１４に出力する。
【００２４】
記憶部１３は、複数のプログラム１，２，３を記憶する。これらのプログラム１，２，３は、プログラム起動部１４によりフリップの開速度に応じて選択されて起動される。なお、プログラム１，２，３は、それぞれ異なるアプリケーションプログラムであるものとする。
【００２５】
プログラム起動部１４は、速度検出部１２から入力される開速度検出信号に基づいて、記憶部１３に記憶された複数のプログラム１，２，３から一つのプログラムを選択して起動する。
【００２６】
次いで、上記構成を有する携帯電話装置１の動作について、図２を用いて説明する。
【００２７】
まず、ユーザーにより携帯電話装置１のフリップが閉状態から開状態に操作されると、開閉状態検出部１１によりフリップの開状態が順次検出され、その各開状態検出信号が速度検出部１２に出力される。速度検出部１２では、開閉状態検出部１１から順次入力される各開状態検出信号に含まれる回転角度の変位割合に基づいて、フリップが開状態になる速度が検出され、開速度検出信号がプログラム起動部１４に出力される。
【００２８】
次いで、プログラム起動部１４では、速度検出部１２から入力される開速度検出信号に基づいて、記憶部１３に記憶された複数のプログラム１，２，３のうち、その開速度に応じたプログラムが起動される。
【００２９】
このように本発明の実施の形態１の携帯電話装置１によれば、ユーザによるフリップの開操作の速度を検出する速度検出部１２により検出される開速度信号に応じて、記憶された複数のプログラムを選択して起動することにより、ユーザーがフリップを開状態としたときに起動するプログラムが一通りだけではなくなるため、複数のプログラムを起動する際に、フリップを開いてからキー操作を行うという煩雑な操作を解消することができる。
【００３０】
（実施の形態２）
まず、図１に示した携帯電話装置１の下筐体３の側面３ａに設けられたキー操作部５は、フリップが閉状態でも操作可能であり、フリップが閉状態の時に所定回数操作して、フリップが開状態になった時に起動するプログラムを選択するためのものである。なお、キー操作部５は、フリップが閉状態で操作可能な位置であれば、上筐体２又は下筐体３のその他の面に配置するようにしてもよい。
【００３１】
図３は、本発明の実施の形態２に係る図１の携帯電話装置１の上筐体２及び下筐体３に内蔵された制御系の構成要素を示すブロック図であり、キー操作検出部２１、タイマー部２２、開閉状態検出部２３、記憶部２４及びプログラム起動部２５とから主に構成される。
【００３２】
キー操作検出部２１は、ユーザーによるキー操作部５のキー操作及び操作回数を検出し、キー操作検出信号をタイマー部２２に出力し、操作回数検出信号をプログラム起動部２５に出力する。
【００３３】
タイマー部２２は、キー操作検出部２１から入力されるキー操作検出信号に応じて、予め設定された時間の計時を開始し、計時信号をプログラム起動部２５に出力する。また、タイマー部２２は、設定時間の計時が終了すると、タイムアップ信号をプログラム起動部２５に出力する。
【００３４】
開閉状態検出部２３は、ユーザーにより携帯電話装置１のフリップが閉状態から開状態に操作される際に、ヒンジ部４の回転角度に応じてフリップの開閉状態を検出して、開閉状態検出信号をプログラム起動部２５に出力する。
【００３５】
記憶部２４は、複数のプログラム１，２，３を記憶する。これらのプログラム１，２，３は、プログラム起動部２５によりキー操作部５の操作回数に応じて選択されて起動される。なお、プログラム１，２，３は、それぞれ異なるアプリケーションプログラムであるものとする。
【００３６】
プログラム起動部２５は、キー操作検出部２１から入力される操作回数検出信号を保持し、タイマー部２２からタイムアップ信号が入力されるまでの間に、開閉状態検出部２３からフリップの開状態信号が入力されると、保持した操作回数検出信号の操作回数に基づいて、記憶部２４に記憶された複数のプログラム１，２，３から一つのプログラムを選択して起動する。
【００３７】
次いで、上記構成を有する携帯電話装置１の動作について、図３を用いて説明する。
【００３８】
まず、携帯電話装置１のフリップが閉状態で下筐体３の側面３ａに配置されたキー操作部５に対するユーザーの１回又は複数回のキー操作をキー操作検出部２１により検出され、キー操作検出信号がタイマー部２２に出力され、操作回数検出信号がプログラム起動部２５に出力される。
【００３９】
タイマー部２２では、キー操作検出部２１から入力されたキー操作検出信号に応じて設定時間の計時が開始され、その計時信号がプログラム起動部２５に出力される。
【００４０】
プログラム起動部２５では、キー操作検出部２１から入力される操作回数検出信号が保持され、タイマー部２２からタイムアップ信号が入力されるまでの間に、開閉状態検出部２３からフリップの開状態を示す開状態信号が入力されるか否かが監視される。
【００４１】
そして、タイマー部２２からタイムアップ信号が入力される前に、開閉状態検出部２３からフリップの開状態を示す開状態信号がプログラム起動部２５に入力された場合には、プログラム起動部２５において記憶部２４に記憶された複数のプログラム１，２，３のうち、保持された操作回数信号の操作回数に対応して設定されたプログラムが選択されて起動される。
【００４２】
このように本発明の実施の形態２の携帯電話装置１によれば、フリップの開操作前にユーザーにより行われたキー操作部５の操作回数に応じて、プログラム起動部２５により記憶部２４に記憶された複数のプログラムの中から、操作回数に応じたプログラムが起動される。
【００４３】
従って、ユーザーがフリップを開状態としたときに起動するプログラムが一通りだけではなく、所望するプログラムを簡便に起動させることができるため、複数のプログラムを起動する際に、フリップを開いてからキー操作を行うという煩雑な操作を解消することができる。
【００４４】
また、キー操作を検出してからフリップを開状態としてプログラムを起動するため、開状態としてからキー操作を検出してプログラムを起動する場合と比較して、ユーザーのプログラム起動までの待ち時間を削減することができる。
【００４５】
（実施の形態３）
図４は、本発明の実施の形態３に係る図１の携帯電話装置１の上筐体２及び下筐体３に内蔵された制御系の構成要素を示すブロック図であり、非接触検出部３１、タイマー部３２、角度検出部３３、開閉状態検出部３４、記憶部３５及びプログラム起動部３６とから主に構成される。
【００４６】
なお、本実施の形態３の携帯電話装置１の外観は図１に示したものであるが、キー操作部５は使用しないものとする。
【００４７】
非接触検出部３１は、上筐体２と下筐体３のヒンジ部４と連結されていない各他端部が閉時の接触状態から開時の非接触状態になることを検出し、非接触検出信号をタイマー部３２とプログラム起動部３６に出力する。
【００４８】
タイマー部３２は、非接触検出部３１から入力される非接触検出信号に応じて、予め設定された時間の計時を開始し、設定時間の計時が終了すると、タイムアップ信号を角度検出部３３とプログラム起動部３６に出力する。
【００４９】
角度検出部３３は、タイマー部３２からタイムアップ信号が入力されると、フリップの開操作により開かれた上筐体２と下筐体３のなす角度をヒンジ部４の回転角度に応じて検出し、角度検出信号をプログラム起動部３６に出力する。
【００５０】
開閉状態検出部３４は、ヒンジ部４の回転角度に応じてフリップの開閉状態を検出し、開閉状態検出信号をプログラム起動部３６に出力する。
【００５１】
記憶部３５は、複数のプログラム１，２，３を記憶する。これらのプログラム１，２，３は、プログラム起動部３６によりフリップの開角度に応じて選択されて起動される。なお、プログラム１，２，３は、それぞれ異なるアプリケーションプログラムであるものとする。
【００５２】
プログラム起動部３６は、非接触検出部３１から非接触検出信号が入力され、タイマー部３２からタイムアップ信号が入力された後、角度検出部３３から入力される角度検出信号を保持し、開閉状態検出部３４から開状態検出信号が入力されると、保持した角度検出信号の角度に基づいて、記憶部３５に記憶された複数のプログラム１，２，３から一つのプログラムを選択して起動する。
【００５３】
次いで、上記構成を有する携帯電話装置１の動作について、図４を用いて説明する。
【００５４】
まず、ユーザーが携帯電話装置１のフリップを開状態へと操作すると、ヒンジ部４で連結されていない上筐体２と下筐体３の各他端部が接触状態から非接触状態となったことが非接触検出部３１で検出され、非接触検出信号がタイマー部３２とプログラム起動部３６に出力される。
【００５５】
タイマー部３２では、非接触検出部３１から入力される非接触信号に応じて設定時間の計時が開始され、計時終了を示すタイムアップ信号が角度検出部３３とプログラム起動部３６に出力される。
【００５６】
角度検出部３３では、タイマー部３２から入力されるタイムアップ信号に応じて、フリップの開操作により開かれた上筐体２と下筐体３のなす角度がヒンジ部４の回転角度に応じて検出され、角度検出信号がプログラム起動部３６に出力される。このとき、開閉状態検出部３４では、ヒンジ部４の回転角度に応じてフリップの開状態が検出され、その開状態検出信号がプログラム起動部３６に出力される。
【００５７】
プログラム起動部３６では、非接触検出部３１から非接触検出信号が入力され、タイマー部３２からタイムアップ信号が入力された後、角度検出部３３から入力される角度検出信号が保持され、開閉状態検出部３４から開状態検出信号が入力されると、保持した角度検出信号の角度に基づいて、記憶部３５に記憶された複数のプログラム１，２，３から一つのプログラムが選択されて起動される。
【００５８】
このように本発明の実施の形態３の携帯電話装置１によれば、ユーザーのフリップ開操作の開始が非接触検出部３１で検出され、フリップの開角度が角度検出部３３で検出され、フリップの開状態が開閉状態検出部３４で検出されると、フリップの開角度に応じてプログラム起動部３６により記憶部３５に記録された複数のプログラムの中から、開角度に応じたプログラムが起動される。
【００５９】
従って、ユーザーがフリップを開状態としたときに起動するプログラムが一通りだけではなくなるため、複数のプログラムを起動する際に、フリップを開いてからキー操作を行うという煩雑な操作を解消することができる。
【００６０】
（実施の形態４）
図５は、本発明の実施の形態４に係る図１の携帯電話装置１の上筐体２及び下筐体３に内蔵された制御系の構成要素を示すブロック図である。本実施の形態４の携帯電話装置１は、実施の形態１において図２に示した携帯電話装置１の制御系の構成要素にプログラム変更操作部４１を追加したものである。
【００６１】
図５では、図２の構成要素と同一機能を有する構成要素には同一符号を付して示し、異なる機能を有する構成要素としてプログラム変更操作部４１とプログラム起動部４２を示す。従って、図２の構成要素と同一符号を付した開閉状態検出部１１、速度検出部１２及び記憶部１３についての機能説明は省略する。
【００６２】
プログラム変更操作部４１は、ユーザーにより携帯電話装置１のフリップが開操作される際に、その開速度に応じて起動するプログラムを変更指定するためのものであり、フリップが閉状態の時に操作することによりプログラム変更指示をプログラム起動部４２に出力する。
【００６３】
このプログラム変更操作部４１の配置は、図１の下筐体３の側面３ａに示したキー操作部５の位置としてもよいし、フリップが閉状態で操作可能な位置であれば、上筐体２又は下筐体３のその他の面に配置するようにしてもよい。
【００６４】
プログラム起動部４２は、速度検出部１２により検出されるフリップの開速度と、記憶部１３に記憶された複数のプログラム１，２，３との対応関係を設定する起動テーブル（起動条件設定手段）４２ａを格納する。プログラム起動部４２は、プログラム変更操作部４１から入力されるプログラム変更指示に基づいて起動テーブル４２ａの設定内容を変更する。
【００６５】
プログラム起動部４２は、速度検出部１２から開速度検出信号が入力されると、起動テーブル４２ａの設定内容を参照して、入力された開速度に対応するプログラムを判別し、記憶部１３に記憶された複数のプログラム１，２，３の中から判別したプログラムを選択して起動する。
【００６６】
次いで、上記構成を有する携帯電話装置１の動作について、図５を用いて説明する。
【００６７】
まず、ユーザーにより携帯電話装置１のプログラム変更操作部４１が操作されてプログラム変更指示が入力されると、そのプログラム変更指示に従ってプログラム起動部４２において起動テーブル４２ａの設定内容が変更される。そして、ユーザーにより携帯電話装置１のフリップが閉状態から開状態に操作されると、開閉状態検出部１１によりフリップの開状態が順次検出され、その各開状態検出信号が速度検出部１２に出力される。速度検出部１２では、開閉状態検出部１１から順次入力される各開状態検出信号に含まれる回転角度の変位割合に基づいて、フリップが開状態になる速度が検出され、開速度検出信号がプログラム起動部４２に出力される。
【００６８】
次いで、プログラム起動部４２では、速度検出部１２から入力される開速度検出信号に基づいて、起動テーブル４２ａの設定内容が参照されて、入力された開速度に対応するプログラムが判別され、記憶部１３に記憶された複数のプログラム１，２，３の中から判別したプログラムが選択されて起動される。
【００６９】
このように本発明の実施の形態４の携帯電話装置１によれば、プログラム変更操作部４１によりフリップの開速度に対応付けて起動するプログラムの設定を変更可能としたことにより、ユーザーがフリップを開状態としたときに起動するプログラムが一通りだけではなくなるため、複数のプログラムを起動する際に、フリップを開いてからキー操作を行うという煩雑な操作を解消することができ、さらに、ユーザーが起動するプログラムを自由に設定することができる。
【００７０】
なお、図２〜図５に示した記憶部１３，２４，３５に記憶されたプログラムは３種類としたが、特に３種類に限定するものではなく、何種類記憶してもよい。
【００７１】
また、実施の形態１〜４では、図１に示すようにフリップの閉状態から開状態へ移行する過程において、自動的に複数のプログラムから選択して起動する場合を説明したが、特にフリップの閉状態から開状態へ移行することに限定するものではなく、携帯電話装置の形状の変化前の状態と変化後の状態へ移行するあらゆる過程に対応するものである。
【００７２】
例えば、図１（ｂ）に示すフリップの開状態からさらに図６に示すように、上筐体２のヒンジ部４との連結部に、ヒンジ部４の回転方向に対して図中の矢印方向に回転可能な回転部６を有する場合、この回転部６による上筐体２の形状の変化過程等が考えられる。
【００７３】
また、上記実施の形態１〜４では、本発明をフリップ型携帯電話装置に適用した場合を説明したが、特に携帯電話装置に限定するものではなく、その他のフリップ型電子機器にも適用可能である。
【００７４】
【発明の効果】
以上説明したように、本発明によれば、ユーザーがフリップ型電子機器のフリップを開く操作をするだけで、その操作速度に応じたプログラムを起動することを可能にして、フリップ型電子機器に格納された複数のプログラムを起動す際の煩雑なキー操作を解消することができるプログラム起動装置を提供することができる。
【００７５】
また、ユーザーがフリップ型電子機器のフリップが閉状態で操作可能な操作キーの操作とフリップを開く操作をするだけで、その操作内容に応じたプログラムを起動することを可能にして、フリップ型電子機器に格納された複数のプログラムを起動す際の煩雑なキー操作を解消することができる。
【００７６】
また、ユーザーがフリップ型電子機器のフリップを開く操作をするだけで、そのフリップの開き角度に応じたプログラムを起動することを可能にして、フリップ型電子機器に格納された複数のプログラムを起動する際の煩雑なキー操作を解消することができるプログラム起動装置を提供することができる。
【図面の簡単な説明】
【図１】本発明の実施の形態１〜４に係る携帯電話装置の外観斜視図
【図２】実施の形態１に係る携帯電話装置の制御系の構成要素を示すブロック図
【図３】実施の形態２に係る携帯電話装置の制御系の構成要素を示すブロック図
【図４】実施の形態３に係る携帯電話装置の制御系の構成要素を示すブロック図
【図５】実施の形態４に係る携帯電話装置の制御系の構成要素を示すブロック図
【図６】携帯電話装置のその他の形状変化を示す図
【符号の説明】
１  携帯電話装置
２  上筐体
３  下筐体
４  ヒンジ部
５  キー操作部
１１，２３，３４  開閉状態検出部
１２  速度検出部
１３，２４，３５  記憶部
１４，２５，３６，４２  プログラム起動部
２１  キー操作検出部
２２，３２  タイマー部
３１  非接触検出部
４１  プログラム変更操作部
４２ａ  起動テーブル
【図１】
2004235865.tif 000003
【図２】
2004235865.tif 000004
【図３】
2004235865.tif 000005
【図４】
2004235865.tif 000006
【図５】
2004235865.tif 000007
【図６】
2004235865.tif 000008